(57)【要約】【課題】結合体のコストを低減でき、受止具を殊更設けることなく導線の中間を受止めることができるとともに、結合体による導線の損傷をなくすることができる表示装置を提供する。【解決手段】前側に表示面を有し、後側に導線６の一端が接続される導線接続部１９ａを有する表示部と、該表示部の周縁部後側に装着されている結合体２と、前記表示部の周縁部及び後側を隠蔽するように結合体２に取付けられるキャビネットとを備え、結合体２を、前記キャビネットが取付けられる取付部（取付孔２４）と、導線６の中間を受止める受止部２１とが合成樹脂材にて一体に成形してある構成とした。【選択図】図４
2010054854.tif 000002
【特許請求の範囲】
【請求項１】
前側に表示面を有し、後側に導線の一端が接続される導線接続部を有する表示部と、該表示部の周縁部後側に装着されている結合体と、前記表示部の周縁部及び後側を隠蔽するように前記結合体に取付けられるキャビネットとを備える表示装置において、前記結合体は、前記キャビネットが取付けられる取付部と、前記導線の中間を受止める受止部とを有し、合成樹脂材にて一体に成形してあることを特徴とする表示装置。
【請求項２】
前記導線の他端にコネクタを接続してあり、前記結合体は前記コネクタを保持する保持部を一体に成形してある請求項１記載の表示装置。
【請求項３】
前記受止部は、前記導線の長手方向及び長手方向と交差する方向へ離隔した位置から互いに対向するように突出された略Ｌ字形をなす複数の突片である請求項１又は２記載の表示装置。
【請求項４】
前記保持部は、前記コネクタの周面に向けて突出する複数の突片を有し、突片夫々の先端間にて前記コネクタを保持してある請求項２記載の表示装置。
【請求項５】
前記コネクタに接続される第２導線を備え、前記結合体は前記第２導線の中間を受止める第２受止部を一体に成形してある請求項２から４のいずれか一つに記載の表示装置。
【発明の詳細な説明】
【技術分野】
【０００１】
本発明は液晶表示装置、プラズマ表示装置、ＬＥＤ表示装置等の表示装置に関する。
【背景技術】
【０００２】
テレビジョン等の略直方体をなす表示装置は、画像を表示する表示面を前側に有し、後側に導線の一端が接続される回路基板を有する表示部と、該表示部の周縁部前側を隠蔽する前キャビネットと、表示部の後側を隠蔽する後キャビネットとを備える（例えば、特許文献１参照）。
【０００３】
また、本発明出願人が開発している液晶表示装置は、略直方体をなす表示部の後面四隅部に、金属板製の結合体を固定し、該結合体に前キャビネット及び後キャビネットの周縁部を複数本の雄螺子にて固定してある。
【特許文献１】実用新案登録第３１１１６７０号公報
【発明の開示】
【発明が解決しようとする課題】
【０００４】
ところが、特許文献１の表示装置にあっては、回路基板に一端が接続される複数本の導線を処理するため、導線の中間を受止める受止具、導線の他端に接続されるコネクタを保持する保持具等の複数の部品を別途設ける必要があり、部品点数が増加し、導線処理の作業性が悪くなるという問題がある。
【０００５】
また、本発明出願人が開発している液晶表示装置にあっては、結合体が金属板製であり、比較的高価であるし、また、表示部の後側に配される導線が前記結合体の尖鋭縁に接触して損傷しないように保護措置を講じる必要があり、また、導線の中間を受止める受止具を表示部の後面に取付ける必要があり、また、安全対策として絶縁シートを貼付ける必要があり、改善策が要望されていた。
【０００６】
本発明は斯かる事情に鑑みてなされたものであり、主たる目的は表示部の周縁部後側に装着されている結合体を、キャビネットが取付けられる取付部と、導線の中間を受止める受止部とを有し、合成樹脂材にて一体に成形した構成とすることにより、結合体のコストを低減でき、受止具を殊更設けることなく導線の中間を受止めることができるとともに、結合体による導線の損傷をなくすることができる表示装置を提供することにある。
【課題を解決するための手段】
【０００７】
本発明に係る表示装置は、前側に表示面を有し、後側に導線の一端が接続される導線接続部を有する表示部と、該表示部の周縁部後側に装着されている結合体と、前記表示部の周縁部及び後側を隠蔽するように前記結合体に取付けられるキャビネットとを備える表示装置において、前記結合体は、前記キャビネットが取付けられる取付部と、前記導線の中間を受止める受止部とを有し、合成樹脂材にて一体に成形してあることを特徴とする。
【０００８】
この発明にあっては、取付部及び受止部を有する結合体が合成樹脂材にて一体に成形されているため、結合体のコストを低減でき、また、部品点数を増加することなく導線の中間を受止めることができ、結合体の導線との接触部を非尖鋭にすることができるとともに、絶縁対策を殊更行う必要がなく、導線処理の作業性を高めることができる。
【０００９】
また、本発明に係る表示装置は、前記導線の他端にコネクタを接続してあり、前記結合体は前記コネクタを保持する保持部を一体に成形してある構成とするのが好ましい。
この発明にあっては、部品点数を増加することなくコネクタを保持することができ、導線処理の作業性をより一層高めることができ、コストをより一層低減できる。
【００１０】
また、本発明に係る表示装置は、前記受止部は、前記導線の長手方向及び長手方向と交差する方向へ離隔した位置から互いに対向するように突出された略Ｌ字形をなす複数の突片である構成とするのが好ましい。
この発明にあっては、略Ｌ字形をなす突片に導線の中間を嵌め込むことにより導線を受止めることができるため、導線処理の作業性をより一層高めることができ、コストをより一層低減できる。
【００１１】
また、本発明に係る表示装置は、前記保持部は、前記コネクタの周面に向けて突出する複数の突片を有し、突片夫々の先端間にて前記コネクタを保持してある構成とするのが好ましい。
この発明にあっては、突片夫々の先端間にコネクタを嵌め込むことにより該コネクタを保持することができるため、導線処理の作業性をより一層高めることができ、コストをより一層低減できる。
【００１２】
また、本発明に係る表示装置は、前記コネクタに接続される第２導線を備え、前記結合体は前記第２導線の中間を受止める第２受止部を一体に成形してある構成とするのが好ましい。
この発明にあっては、部品点数を増加することなく第２導線の中間を受止めることができ、導線処理の作業性をより一層高めることができ、コストをより一層低減できる。
【発明の効果】
【００１３】
本発明によれば、結合体のコストを低減でき、部品点数を増加することなく導線の中間を受止めることができるとともに、結合体の導線との接触部を非尖鋭にすることができ、導線処理の作業性を高めることができ、コストを低減できる。
【発明を実施するための最良の形態】
【００１４】
以下本発明をその実施の形態を示す図面に基づいて詳述する。図１は本発明に係る表示装置の構成を示す正面図、図２は表示装置の構成を示す一部を省略した縦断側面図、図３は表示部の構成を示す背面図、図４は結合体部分の構成を示す背面図である。
【００１５】
図示した表示装置はテレビ画像を表示する表示面１ａを前側に有し、略直方体をなす表示部１と、該表示部１の周縁部後側に装着されている結合体２と、表示部１の下側に装着されているスピーカ３と、表示部１の周縁部及び後側を隠蔽するように結合体２に取付けられているキャビネット４とを備え、スタンド５により起立状態が維持される液晶テレビジョン、換言すると液晶表示装置である。
【００１６】
表示部１は、前側に表示面１ａを有し略直方体をなす表示パネル１１と、該表示パネル１１の後側に配され、表示パネル１１の周縁部を前後で保持した略四角形をなす前保持枠体１２及び後保持枠体１３と、表示パネル１１の後側に配された拡散板等の複数の光学シート１４と、該光学シート１４の後側に配され光源１５及び該光源１５を収容支持するケース１６を有する光源部１７とを備え、該光源部１７の後側にインバータ回路基板１８、端子基板１９、制御回路基板２０等の電気部品が装着されている。光源１５は両端部に電極を有する冷陰極管であり、光源１５夫々の端部の電極にインバータ回路基板１８が接続され、パルス幅変調信号により明るさが制御されるように構成されている。
【００１７】
ケース１６は後壁の周縁に立上部を有する略直方体をなし、後面の一側部には、光源１５を駆動するインバータ回路基板１８が装着され、後面の他側部には複数の導線接続部１９ａを有する端子基板１９が装着され、後面の上部で横方向中央部には、表示パネル１１の駆動及び制御を行う制御回路基板２０が装着されており、前記導線接続部１９ａに一端が接続される導線の他端がインバータ回路基板１８、制御回路基板２０、スピーカ３等の電気部品に接続されている。
【００１８】
ケース１６の後面四隅部には結合体２を取付けるための二つの緊締用孔１６ａが開設されている。また、ケース１６の後面の横方向中間には二つの補強用桟１６ｂ，１６ｂが設けられており、補強用桟１６ｂ，１６ｂの下部にスタンド５が取付けられる。
【００１９】
図１に示すように横方向一側に装着されているスピーカ３に一端が接続される導線６は、端子基板１９の導線接続部１９ａから下方へ導出され、中間が横方向へ曲げられ、他端にコネクタ７が接続されている。このコネクタ７に一端が接続された第２導線８の中間が下方へ曲げられ、該第２導線８の他端がスピーカ３に接続されている。
【００２０】
図５は結合体２の構成を示す斜視図、図６は結合体２の構成を示す正面図、図７は結合体２の構成を示す底面図、図８は結合体２の構成を示す側面図である。結合体２は合成樹脂材を細幅板状（略矩形）に成形してなり、長手方向両端部及び中央部の一面に、導線６の中間を受止める受止部２１が一体に設けられ、両端部の受止部２１と中央部の受止部２１との間に、導線６の他端に接続されているコネクタ７を保持する保持部２２，２２が一体に設けられている。
【００２１】
結合体２の長手方向両端部にはケース１６の周縁部後面に雄螺子にて取付けられる被取付部としての被取付孔２３，２３が開設されており、幅方向一側で、長手方向両端部にはキャビネット４が取付けられる取付部としての取付孔２４，２４が開設されており、該取付孔２４，２４の間に、第２導線８の中間を受止める第２受止部２５，２５が一体に設けられている。また、結合体２の一面にはほぼ全周に亘って補強用のリブ２６が設けられている。また、結合体２は長手方向中央から両端までがほぼ対称に形成され、ケース１６の周縁部後面に取付けられる位置に関係なく共通化できるように構成されている。
【００２２】
受止部２１は、前記長手方向及び長手方向と交差する方向へ離隔した位置から互いに対向するように突出された略Ｌ字形をなす二つの突片２１ａ，２１ａからなり、一方の突片２１ａの先端から内側へ嵌め込まれた導線６の中間を他方の突片２１ａの先端から内側へ嵌め込むことにより抜け出しを防いで受止めるように構成されている。図４，図５では前記長手方向に離隔して四つの受止部２１が設けられている。
【００２３】
保持部２２は略直方体をなすコネクタ７の周縁に向けて突出する複数の突片２２ａを有し、突片２２ａ夫々の先端間にてコネクタ７を保持するように構成されている。
【００２４】
図９はキャビネット前分体の構成を示す背面図、図１０は結合体２とキャビネット前分体との関係を示す背面図、図１１は表示部の構成を示す背面図、図１２は結合体２と表示部との関係を示す背面図である。キャビネット４は、表示パネル１１の周縁部前側に配され、前保持枠体１２の前部を隠蔽する額縁部４１ａ、及び該額縁部４１ａの外縁から後方へ延出され、前保持枠体１２より大形の角筒部４１ｂを有する合成樹脂製のキャビネット前分体４１と、ケース１６の後側を隠蔽する皿状板部４２ａ、及び該皿状板部４２ａの外縁から前方へ延出され、前保持枠体１２より大形の角筒部４２ｂを有する合成樹脂製のキャビネット後分体４２とを備える。
【００２５】
キャビネット前分体４１は合成樹脂材にて成形されており、額縁部４１ａの内外中途部位で複数の周方向位置には、結合体２の取付孔２４，２４に対応する第１の筒形ボス４１ｃが一体に成形されている。この筒形ボス４１ｃは額縁部４１ａの内面から後方へ突出されている。また、額縁部４１ａの下部にはスピーカの前側を被覆するスピーカ被覆部４１ｄが一体に設けられている。
【００２６】
キャビネット後分体４２における皿状板部４２ａの外周側で複数の周方向位置には、結合体２の一方の取付孔２４に対応する第２の筒形ボス４２ｃが一体に成形されている。この筒形ボス４２ｃは皿状板部４２ａの内面から前方へ突出されている。
【００２７】
以上のように構成された表示装置は、表示パネル１１の周縁部が光源部１７の周縁部に結合されて表示部１が形成され、ケース１６の四隅部後面に結合体２の他面が当接され、二つの被取付孔２３，２３に挿入する雄螺子９をケース１６の緊締用孔１６ａ，１６ａに捩じ込むことにより結合体２が固定される。この後、キャビネット前分体４１が表示部１の周縁部前側に被嵌され、額縁部４１ａ内側に突設されている第１の筒形ボス４１ｃが結合体２の他面に当接し、他方の取付孔２４に挿入される雄螺子１０を前記筒形ボス４１ｃの孔に捩込むことによりキャビネット前分体４１の一部が固定される。このキャビネット前分体４１の下部一側にスピーカ３が装着され、該スピーカ３と端子基板１９の導線接続部１９ａとが導線６及び第２導線８にて接続される。
【００２８】
導線６は端子基板１９の導線接続部１９ａから下方へ導出され、中間が横方向一方へ曲げられ、三つの受止部２１に順次嵌め込まれて受止められ、該導線６の他端に接続されているコネクタ７が保持部２２に嵌込まれて保持され、コネクタ７に一端が接続されている第２導線８の中間が下方へ曲げられ、第２受止部２５に嵌め込まれて受止められ、第２導線８の他端がスピーカ３に接続される。
【００２９】
また、図示していないが、キャビネット前分体４１の下部両側にスピーカ３が装着される場合、二つのスピーカ３，３と端子基板１９の導線接続部１９ａとが２本の導線６，６及び第２導線８，８にて接続される。
【００３０】
２本の導線６，６の一方は、導線接続部１９ａから下方へ導出された後、図３に示すように中間が横方向一方へ曲げられ、上述したように一方の隅部に取付けられている結合体２に沿って配線される。他方の導線６は、導線接続部１９ａから下方へ導出された後、中間が横方向他方（図３の右側）へ曲げられ、他方の隅部に取付けられている結合体２に沿って上述したように配線される。
【００３１】
導線処理が終わった後、キャビネット後分体４２が表示部１の後側に被嵌され、皿状板部４２ａの内側に突設されている第２の筒形ボス４２ｃが結合体２の一面に当接し、第２の筒形ボス４２ｃ内に挿入される雄螺子１０を、一方の被取付孔２４から第１の筒形ボス４１ｃの孔に捩込むことによりキャビネット前分体４１及びキャビネット後分体４２の一部が共締めされる。
【００３２】
以上のようにキャビネット前分体４１及びキャビネット後分体４２を表示部１に周縁部に取付けるための結合体２に、導線６の中間を受止める受止部２１及び導線６に接続されているコネクタ７を保持する保持部２２が一体に成形されているため、導線６の中間を受止める受止体及びコネクタ７を保持する保持体を殊更設ける必要がなく、部品点数を削減できるとともに、導線処理の作業性を高めることができ、表示装置のコストを低減できる。また、結合体２は金属板に比べて安価な合成樹脂材にて成形してあるため、結合体２のコストを低減でき、ひいては表示装置のコストをより一層低減できる。
【００３３】
また、合成樹脂材にて成形された結合体２は、周縁部の縁、受止部２１、保持部２２等の縁が非尖鋭に成形されているため、縁部を殊更後加工する必要がなく、結合体２のコストを低減でき、また、結合体２は絶縁性を有するため、絶縁対策を殊更行う必要がなく、導線処理の作業性をより一層高めることができる。
【００３４】
また、合成樹脂材にて成形されているスピーカ被覆部４１ｄの裏面に、導線６の中間を受止める受止体及びコネクタ７を保持する保持体を取付ける必要がないため、スピーカ被覆部４１ｄの肉厚を均等化でき、肉厚差による表面の品位低下を回避することができる。
【００３５】
尚、以上説明した実施の形態では、細長板状をなす結合体２を備える構成としたが、その他、結合体２の形状は特に制限されない。また、四つの受止部２１及び二つの保持部２２を有する構成としたが、その他、受止部２１及び保持部２２の個数は特に制限されない。
【００３６】
また、結合体２は受止部２１及び保持部２２を有する構成としたが、その他、保持部２２がなく、受止部２１を有する構成としてもよい。
【００３７】
また、以上説明した実施の形態では、結合体２の取付孔２４にキャビネット前分体４１及びキャビネット後分体４２の一部が取付けられることについて説明したが、場合によってはキャビネット前分体４１だけが取付孔２４に取付けられることもある。
【００３８】
また、表示部１は、前保持枠体１２及び後保持枠体１３が表示パネル１１を前後で挾持する構成としたが、その他、前保持枠体１２がなく、キャビネット前分体４１の額縁部４１ａ及び後保持枠体１３が表示パネル１１を前後で挾持する構成としてもよい。
【００３９】
また、本発明に係る表示装置は液晶テレビジョン等の表示装置である他、プラズマ表示装置、ＬＥＤ表示装置等の表示装置であってもよい。
【図面の簡単な説明】
【００４０】
【図１】本発明に係る表示装置の構成を示す正面図である。
【図２】本発明に係る表示装置の構成を示す一部を省略した縦断側面図である。
【図３】本発明に係る表示装置の表示部の構成を示す背面図である。
【図４】本発明に係る表示装置の結合体部分の構成を示す背面図である。
【図５】本発明に係る表示装置の結合体の構成を示す斜視図である。
【図６】結合体の構成を示す正面図である。
【図７】結合体の構成を示す底面図である。
【図８】結合体の構成を示す側面図である。
【図９】本発明に係る表示装置のキャビネット前分体の構成を示す背面図である。
【図１０】結合体とキャビネット前分体との関係を示す背面図である。
【図１１】本発明に係る表示装置の表示部の構成を示す背面図である。
【図１２】結合体と表示部との関係を示す背面図である。
【符号の説明】
【００４１】
１    表示部
１ａ  表示面
１９ａ  導線接続部
２    結合体
２１  受止部
２１ａ  突片
２２  保持部
２２ａ  突片
２４  取付孔（取付部）
２５  第２受止部
４    キャビネット
６    導線
７    コネクタ
８    第２導線
【図１】
2010054854.tif 000003
【図２】
2010054854.tif 000004
【図３】
2010054854.tif 000005
【図４】
2010054854.tif 000006
【図５】
2010054854.tif 000007
【図６】
2010054854.tif 000008
【図７】
2010054854.tif 000009
【図８】
2010054854.tif 000010
【図９】
2010054854.tif 000011
【図１０】
2010054854.tif 000012
【図１１】
2010054854.tif 000013
【図１２】
2010054854.tif 000014